(57)【要約】【課題】  ＵＳＢ機器をソフトウエア的に取り外した後、ホストに再認識させるためには、一旦ＵＳＢケーブルを引き抜いて再接続しなければならなかったという課題を解決する。【解決手段】  ホストから電力が供給されるバスパワード方式のＵＳＢ機器において、電力供給に用いる電源線の途中に、操作しないときに導通状態になる押しボタンスイッチを挿入するようにした。押しボタンスイッチを操作するだけで、ホストにＵＳＢ機器を再認識させることができる。【選択図】                    図１
2007293552.tif 000002
【特許請求の範囲】
【請求項１】
ホストとケーブルによって接続され、このケーブルを介して信号を授受し、かつ電力が供給されるバスパワード方式のＵＳＢ機器において、
前記電力を供給する電力線の途中に挿入されたスイッチを具備したことを特徴とするＵＳＢ機器。
【請求項２】
前記スイッチは、操作しないときに導通状態になる押しボタンスイッチであることを特徴とする請求項１記載のＵＳＢ機器。
【請求項３】
前記ＵＳＢ機器は、メモリカードリーダであることを特徴とする請求項１若しくは請求項２記載のＵＳＢ機器。
【発明の詳細な説明】
【技術分野】
【０００１】
本発明は、ＵＳＢ(Universal Serial Bus)機器に関し、簡単な構成でホストに再認識させることができるＵＳＢ機器に関するものである。
【背景技術】
【０００２】
ＵＳＢはシリアル伝送路の規格の１つであり、パソコンと周辺機器との間を接続する伝送路として多用されている。ＵＳＢ機器とホストとの接続例を図３に示す。
【０００３】
図３において、１０はパソコンなどのホスト、３０はメモリカードリーダなどのＵＳＢ機器である。２０はホスト１０とＵＳＢ機器３０とを接続するＵＳＢケーブルである。ＵＳＢケーブル２０は電源線２１、信号線２２、２３およびグランド線２４の４本の線で構成されており、それぞれホスト１０およびＵＳＢ機器３０のＶＢＵＳ、Ｄ＋、Ｄ−、ＧＮＤ端子に接続されている。
【０００４】
ＵＳＢ機器３０は電源線２１とグランド線２４によってホスト１０から供給される電力により動作する、バスパワード方式のＵＳＢ機器である。このため、ＵＳＢケーブル２０を接続するだけで、ＵＳＢ機器３０を使用することができる。
【０００５】
図４にＵＳＢケーブルの構造を示す。なお、図３と同じ要素には同一符号を付し、説明を省略する。図４において、信号線２２、２３には差動信号が伝送され、かつケーブル内部でツイストされている、このため、外部ノイズに影響されることなく、高速でデータを伝送することができる。
【０００６】
ＵＳＢ機器３０がホスト１０に接続されると、ホスト１０は自動的に接続されたＵＳＢ機器３０を認識し、使用できる状態にセットする。ユーザはＵＳＢ機器３０にセットされているメモリカードにアクセスし、必要な処理を行う。
【０００７】
ＵＳＢ機器３０をホスト１０から取り外すときは、データ消失などのトラブルが発生しないように、ユーザが明示的に取り外しを指示する。ホスト１０はＵＳＢ機器３０を取り外してもトラブルが発生しないことを確認した後、取り外しを許可する。ユーザはこの許可があった後、ＵＳＢ機器３０を取り外す。
【０００８】
システムのリセットやコネクタの抜き挿しをしてデバイスの初期化を行うことなく、自動的にデバイスを認識して使用することができるデバイスの制御方法および制御装置を示したものとして、例えば特許文献１に記載されたものがあった。
【０００９】
【特許文献１】特開平１１−２０３２３０号公報
【発明の開示】
【発明が解決しようとする課題】
【００１０】
しかしながら、このようなＵＳＢ機器には、次のような課題があった。ホスト１０がＵＳＢ機器３０の取り外しを許可した後は、ユーザはＵＳＢ機器３０にアクセスすることはできない。再度ホスト１０からアクセスできるようにするためには、ホスト１０にＵＳＢ機器３０を認識させるために、ＵＳＢケーブル２０を一旦引き抜いて再度接続しなければならず、面倒であるという課題があった。
【００１１】
従って本発明の目的は、ＵＳＢケーブルを引き抜くことなく、ホストにＵＳＢ機器を再認識させることができるＵＳＢ機器を提供することにある。
【課題を解決するための手段】
【００１２】
このような課題を達成するために、本発明のうち請求項１記載の発明は、
ホストとケーブルによって接続され、このケーブルを介して信号を授受し、かつ電力が供給されるバスパワード方式のＵＳＢ機器において、
前記電力を供給する電力線の途中に挿入されたスイッチを具備したものである。ケーブルを引き抜くことなく、ホストにＵＳＢ機器を再認識させることができる。
【００１３】
請求項２記載の発明は、請求項１記載の発明において、
前記スイッチとして、操作しないときに導通状態になる押しボタンスイッチを用いたものである。操作が簡単になり、トラブルを防止できる。
【００１４】
請求項３記載の発明は、請求項１若しくは請求項２記載の発明において、
前記ＵＳＢ機器は、メモリカードリーダであることを特徴としたものである。よく使用されるメモリカードリーダに用いて効果が大きい。
【発明の効果】
【００１５】
以上説明したことから明らかなように、本発明によれば次のような効果がある。
請求項１，２および３の発明によれば、ホストから電力が供給されるバスパワード方式のＵＳＢ機器において、電力が供給される電源線の途中に、スイッチを挿入するようにした。
【００１６】
ＵＳＢ機器を取り外した後、スイッチを操作して短時間ＵＳＢ機器への電力供給を遮断するだけでホストにＵＳＢ機器を再認識させることができる。従って、従来のようにＵＳＢケーブルを一旦引き抜いて再接続するという煩雑な操作を行う必要がなくなるという効果がある。また、操作しないときに導通状態になる押しボタンスイッチを用いることにより、より操作が簡単になり、トラブルを防止できるという効果もある。
【発明を実施するための最良の形態】
【００１７】
以下本発明を図面を用いて詳細に説明する。図１は本発明に係るＵＳＢ機器の一実施例を示す構成図である。なお、図３と同じ要素には同一符号を付し、説明を省略する。図１において、４０はＵＳＢ機器、４１はこのＵＳＢ機器４０に内蔵されている内部回路である。内部回路４１はＵＳＢ機器４０本来の機能を実現する部分であり、例えばメモリカードの読み取り機能を実現する。
【００１８】
ＵＳＢ機器４０はＵＳＢケーブル２０によってホスト１０と接続されている。内部回路４１はＵＳＢケーブル２０内の電源線２１を介してホスト１０から電力が供給される。すなわち、ＵＳＢ機器４０はバスパワード方式のＵＳＢ機器である。なお、内部回路４１の動作は本発明と直接関係がないので、説明を省略する。
【００１９】
４２はＵＳＢ機器４０に内蔵されている押しボタンスイッチであり、電源線２１の途中に挿入される。この押しボタンスイッチ４２はノーマルオンの押しボタンスイッチである。通常は導通状態になっており、押しボタンを押すことによって導通が解除されて不導通になる。
【００２０】
次に、図２フローチャートによってこのＵＳＢ機器４０の動作を説明する。図２において、工程（Ｐ―１）でユーザの指示によってＵＳＢ機器４０が開放される。これによってホスト１０はＵＳＢ機器４０を認識しなくなり、ＵＳＢ機器４０は使用不能になる。
【００２１】
次に、工程（Ｐ−２）でユーザが押しボタンスイッチ４２を押す。押しボタンスイッチ４２は不導通になり、内部回路４１には電力が供給されなくなる。すなわち、ＵＳＢケーブル２０を引き抜いた状態になる。
【００２２】
次に、工程（Ｐ−３）でユーザは押しボタンスイッチ４２を離す。すなわち押下を中止する。内部回路４１には再び電力が供給され、信号線２２、２３には再び信号が現れる。このため、ホスト１０にＵＳＢ機器４０が再接続されたことが通知される。ホスト１０はＵＳＢ機器４０を再認識し（工程（Ｐ−４））、ユーザはＵＳＢ機器４０を再び使用することができる。
【００２３】
このように、ＵＳＢ機器４０を開放して使用不能になった後でも、押しボタンスイッチ４２を押すだけでホスト１０にＵＳＢ機器４０を再認識させることができる。このため、従来のようにＵＳＢケーブル２０を一旦引き抜いて再度接続するという、手間のかかる作業を行う必要がなくなるという効果がある。
【００２４】
なお、この実施例ではメモリカードリーダについて説明したが、これに限られることはない。要は、ＵＳＢケーブルを通じてホストから電力が供給される全てのＵＳＢ機器に適用することができる。
【００２５】
また、この実施例ではスイッチ４２は押しボタンスイッチであるとしたが、スライドスイッチのような他のスイッチを用いることもできる。要は、導通、不導通を操作できるスイッチであればよい。
【００２６】
但し、押しボタンスイッチは操作しないと自動的に導通状態になるので、押しボタンスイッチを使用すると、電源線２１を断状態のまま放置し、ＵＳＢ機器４０が使用できなくなるというトラブルを防止することができる。
【図面の簡単な説明】
【００２７】
【図１】本発明の一実施例を示す構成図である。
【図２】本発明の一実施例の動作を示すフローチャートである。
【図３】従来のＵＳＢ機器とホストの接続を表す図である。
【図４】ＵＳＢケーブルの構成図である。
【符号の説明】
【００２８】
１０  ホスト
２０  ＵＳＢケーブル
２１  電源線
２２、２３  信号線
２４  グランド線
４０  ＵＳＢ機器
４１  内部回路
４２  押しボタンスイッチ
【図１】
2007293552.tif 000003
【図２】
2007293552.tif 000004
【図３】
2007293552.tif 000005
【図４】
2007293552.tif 000006